(57)【要約】      （修正有）【課題】データキャリアがしっかりと固定され、落ちにくいケーブルを提供する。【解決手段】一本のロープ本体１０、一つの固定スリーブ２０と一つのデータキャリア３０を備えており、そのロープ本体は２か所の固定部分１１があり、その２か所の固定部分間でループ１２ができている。固定スリーブでその２か所の固定部分が結合していて、ループの部分を固定している。データキャリアには接続部品３１、本体３２、タグ部分３３が含まれている。接続部品は固定スリーブに設置されており、本体は接続部品に繋がっている。タグ部分は本体に設置されていて、そのタグ部分にデータが格納されており、外部のデータ読み取り機器により非接触方式でデータ読み取りができる。【選択図】図２
0003220091.tif 000002
【実用新案登録請求の範囲】
【請求項１】
２つの固定部分を有する一本のロープを備えるケーブルであって、
前記２つの固定部分の間にループを形成し、一つの固定スリーブが前記２つの固定部分を結んでループを固定し、
接続部品、本体、タグ部品を含む一つのデータキャリアを有し、前記接続部品は前記固定スリーブに配置され、前記本体は前記接続部品に接続し、前記タグ部品は本体に設置されてデータを保存し、データは外部のデータ読み取り機により非接触方式で読み取られる、ケーブル。
【請求項２】
前記接続部品は、第一部分と第二部分とを有する接続ワイヤーを含み、前記第一部分は前記固定スリーブの中に固定され、前記第二部分は前記固定スリーブの外側で本体と接続する、請求項１に記載のケーブル。
【請求項３】
前記第一部分は前記２つの固定部分のうち少なくとも一方に巻き付いている、請求項２に記載のケーブル。
【請求項４】
前記接続部品は端部と接続ワイヤーとを含み、
前記端部の最大直径は前記接続ワイヤーの線径より太く、前記端部は前記固定スリーブの内部に固定して配置され、
前記接続ワイヤーは第一部分及び第二部分を有し、前記第一部分は前記端部に接続し、前記第二部分は前記固定スリーブの外側で本体と接続する、請求項１に記載のケーブル。
【請求項５】
前記端部は前記固定スリーブの内壁に埋め込まれる、請求項４に記載のケーブル。
【請求項６】
前記固定スリーブはループに面する端面を有し、
前記接続部品は端部と、接続ワイヤーと、を有し、
前記端部は前記固定スリーブに面する前記端面の外側に配置され、
前記接続ワイヤーは第一部分及び第二部分を有し、前記第一部分は端部に接続して固定スリーブの内部を通り抜け、前記第二部分は固定スリーブの外側で本体と接続する、請求項１に記載のケーブル。
【請求項７】
前記接続部品は固定スリーブの内壁に当接する、請求項１に記載のケーブル。
【考案の詳細な説明】
【技術分野】
【０００１】
本考案はケーブル、特にデータキャリアを接続するケーブルに関する。
【背景技術】
【０００２】
スマート識別技術の成熟に伴い、業界では徐々に、製品の規格や安全性を確認するために、様々な製品で誘導式のデータキャリアを使用するようになってきている。現在使用されている誘導式データキャリアのほとんどがＲＦＩＤタグ（Radio Frequency Identification tag, RFID tag）を使用しており、ＲＦＩＤデータキャリアの中には、対応する製品のタイプ、サイズ、製造者、出荷日、耐用年数、メンテナンス履歴など多くの情報が埋め込まれている。これらの製品情報は、アンテナもしくはコイルを通じて送受信することが可能である。近年では、ＲＦＩＤデータキャリアは、出勤記録、航空会社の荷物処理、また郵便追跡など、日常生活において多く利用されている。
【０００３】
現在知られているケーブルを使用するデータキャリアは、データキャリアがケーブルのループに掛けられており、携帯したり物品に繋げたりする際に便利である。従来のケーブルのループを図１に示した。このケーブル１の一端が１aのループを作り、固定スリーブ４によって固定されている。さらに別の接続ワイヤー２のループ２aによってデータキャリア３が繋がれており、それがケーブルのループ１aに引っ掛けられている。しかし、従来のデータキャリア３の吊り下げ方法は、接続ワイヤー２がループ１a上を移動できるため、長期間使用すると、ループ１aと接続ワイヤー２のループ２aとの間で摩擦による断裂が起きやすく、データキャリア３がケーブルから落ちて紛失してしまうという欠点がある。また、データキャリア３が吊り下げられたループ上で、物品運搬時、または利用者が移動する際に揺れ動いた場合、周辺にぶつかって破損してしまい、データの読み取りの際に誤作動を引き起こす可能性がある。
【０００４】
従って、データキャリアを備えた従来のケーブルタグの設計は完全とは言えず、改善の余地がある。
【考案の概要】
【考案が解決しようとする課題】
【０００５】
上記のような問題点に鑑み、本考案は、データキャリアがしっかりと固定され、落ちにくいケーブルを提供する。
【課題を解決するための手段】
【０００６】
本考案において提供するケーブルは一本のロープ、一つの固定スリーブと一つのデータキャリアを備えており、そのロープ本体は２か所の固定部分があり、その２か所の固定部分間でループができている。固定スリーブでその２か所の固定部分が結合していて、ループの部分を固定している。データキャリアには接続部品、本体、タグが含まれている。接続部品は固定スリーブに設置されており、本体は接続部品に繋がっている。タグ部分は本体に設置されていて、そのタグ部分にデータが格納されており、外部のデータ読み取り機器により非接触方式でデータ読み取りができる。
【考案の効果】
【０００７】
タグ本体がロープにしっかりと固定され、脱落しにくくなる。
【図面の簡単な説明】
【０００８】
【図１】従来のケーブルの概略図である。
【図２】本考案の好ましい実施形態となるケーブル概略図である。
【図３】本考案に係る実施形態の固定スリーブの透視図である。
【図４】本考案の第２の実施形態となるケーブル概略図である。
【図５】本考案の第３の実施形態となるケーブル概略図である。
【図６】上記の実施形態の固定スリーブを横から見た透視図である。
【考案を実施するための形態】
【０００９】
本考案をさらに明確にするため、図面を用いて、本考案の好ましい実施形態を説明する。図２から図３には本考案の第１の好ましい実施形態が図示されており、ケーブルには１００、その中のロープ本体には１０、固定スリーブには２０、データキャリアには３０の符号が付されている。
【００１０】
ロープ本体１０には２か所の固定部分１１があり、さらに２か所の固定部分１１がループ１２を形成している。固定スリーブ２０はアルミ製の中空筒体の部品であり、ロープ本体１０が固定スリーブ２０を通った後、固定スリーブ２０に外力を加えると、固定スリーブ２０の内壁が２つの固定部分１１の表面をぴったりと接着し、ループ部分１２を固定する。
【００１１】
データキャリア３０には接続部品３１、本体３２、そしてタグ部品３３が含まれる。接続部品は接続ワイヤー３１であり、接続ワイヤー３１には第一のワイヤー部分３１a及び第二のワイヤー部分３１ｂがある。第一のワイヤー部分３１ａは２か所の固定部分１１の少なくともどちらかに巻きつけられ、固定スリーブ２０で固定されている。第二のワイヤー部分３１ｂは固定スリーブの外側に配置され、本体３２と繋がっている。実施形態のうち、第一のワイヤー部分３１ａは同時に２か所の固定部分１１に巻き付けることができるため、本体３２は接続部分を介してロープ本体１０にしっかりと固定され、脱落しにくくなる。さらに接続ワイヤー３１もロープ本体１０と摩擦を起こさず、接続ワイヤー３１も断裂しにくい。
【００１２】
タグ部品３３は本体３２に設置されており、データが保存されている。例えば、対応する対象のタイプ、機械の性質、製造者、出荷日、作業負荷の限界、耐用年数、メンテナンス履歴などの関連データが、外部のデータ読み取り部品（図には表示されていない）により非接触方式で読み取られる。
【００１３】
実施形態に係るタグ部品３３に保存されているデータはコードでもあり、データ読み取り部品で読み取った後、コードに基づいてデータベースの中から対応するコードを引き出し、対応する対象接続装置の関連データが取得される。
【００１４】
本実施形態の中のタグ部品３３はパッシブＲＦＩＤ（Radio Frequency IDentification）タグ、データ読み取り部品はＲＦＩＤ読み取り機を指す。利用者はＲＦＩＤ読み取り機を操作し、ＲＦＩＤタグが保存しているデータを読み取ることができる。その他、タグ部品３３に保存しているデータを修正し、または新たなデータを保存することが可能である。例を挙げると、ユーザーが対応する対象物にメンテナンス作業を行った後、そのメンテナンス履歴などの関連データを更新し、タグ部品３３の中に保管することができる。
【００１５】
別の用途においては、タグ部品３３はパッシブＲＦＩＤタグに限らず、セミパッシブやアクティブＲＦＩＤタグを使用することもできる。さらに、前述のタグ部品３３は本体３２の内部に設置されている。内部に設置することにより、異物によるタグ部品３３の汚損を防ぎ、保護作用がある。但し別の用途ではこの限りではなく、例えば、タグ部品３３は本体３２の外側表面に設置することもできる。その他の用途では、タグ部品３３はＲＦＩＤタグに限らず、例えばＮＦＣタグ、フェライトＮＦＣタグ、バーコード、ＱＲコード（登録商標）など、他の種類のタグを使用することも可能である。
【００１６】
図４で示す通り、本考案の第２の好ましい実施形態となるケーブル２００は、第１の実施形態と同様、ロープ本体１０、固定スリーブ２０、データキャリア３０の本体３２とタグ部品３３を有する。ケーブル２００の接続部分に接続ワイヤー４２と端部４４が含まれており、端部４４は接続ワイヤー４２の第一部分の一端に繋がっており、第二部分は固定スリーブ２０の外側で本体３２と繋がっている。端部４４は固定スリーブ２０を通り抜けた後、ループ１２に対面する固定スリーブ２０の端部外側に固定することができる。端部４４の最大直径は接続ワイヤー４２の線径より太いため、固定スリーブ２０に外力を加えた場合、固定スリーブ２０の内壁が２か所の固定部分１１の表面に密着した後、端部４４はループ１２に対面する固定スリーブ２０の端部外側で引っ掛かる。また、本体３２をロープ本体１０に固定させるため、外れにくくなる。さらに接続ワイヤー４２もロープ本体１０と摩擦を起こさないため、接続ワイヤー４２も断裂しにくくなる。
【００１７】
図５で示す通り、本考案の第３の好ましい実施形態となるケーブル３００は、上述の第２の好ましい実施形態と同様、ロープ本体１０、固定スリーブ２０、データキャリア３０を有する。端部４４は固定スリーブ２０の内部に固定されており、図６が示す通り、端部４４を固定スリーブ２０の内壁に埋め込むことができる。これにより、接続部品と固定スリーブ２０との接触面積を増やし、本体３２をしっかりとロープ本体１０に固定させるため、脱落しにくくなる。さらに接続ワイヤー４２もロープ本体１０と摩擦を起こすことがなく、接続ワイヤー４２も断裂しにくくなる。
【００１８】
上述のように、本考案のデータキャリアは接続部品によって固定スリーブに固定され、本体をしっかりとロープ本体に固定することができ、それによりデータキャリアの脱落を効果的に防ぐことができる。
【００１９】
上記の開示は、本考案の好ましい実施形態のみに関する物であり、本考案の明細書、および実用新案登録請求の範囲における同等の変更については、本考案の実用新案登録請求の範囲に包含されるものとする。
【符号の説明】
【００２０】
１０  …  ロープ本体  、１１  …  固定部分、１２  …  ループ
２０  …  固定スリーブ
３０  …  データキャリア
３１  …  接続ワイヤー、３１ａ  …  第一のワイヤー部分
３１ｂ  …  第二のワイヤー部分、３２  …  本体、３３  …  タグ部品
４２  …  接続ワイヤー、４４  …  端部
【図１】
0003220091.tif 000003
【図２】
0003220091.tif 000004
【図３】
0003220091.tif 000005
【図４】
0003220091.tif 000006
【図５】
0003220091.tif 000007
【図６】
0003220091.tif 000008